【手続補正書】
【提出日】平成17年5月10日(2005.5.10)
【手続補正１】
【補正対象書類名】明細書
【補正対象項目名】特許請求の範囲
【補正方法】変更
【補正の内容】
【特許請求の範囲】
【請求項１】
少なくともランプと、集光レンズと、フィルターを備え、前記フィルターが、光路中に次の４つの照明モードから少なくとも３つの照明モードの選択が可能なように挿脱自在に配置されていることを特徴とする内視鏡装置用光源装置。
［照明モード１］  生体組織からの蛍光を得るための励起光と、生体組織から蛍光以外の情報を得るための前記励起光とは異なる波長成分をもつ光とを順次照明するモード。
［照明モード２］  色再現性の良好な生体組織のカラー画像を得るために可視領域の光を赤、緑、青の波長範囲の光に分割して順次照明するモード。
［照明モード３］  生体組織の表層から深さ方向に走行している血管構造の分解能を高めるために可視領域の光を極狭い複数の波長範囲に分割して順次照明するモード。
［照明モード４］  生体組織の赤外画像をコントラスト良く得るために少なくとも２つの異なる波長成分をもつ赤外領域の光を順次照明するモード。
【請求項２】
少なくとも画像処理装置と、光源装置と、スコープを備え、
前記スコープが、撮像ユニットを備え、
前記光源装置と前記撮像ユニットが、それぞれ複数の光学要素を備え、
前記光学要素が、透過特性の異なるコーティングを有し、かつ、部分的に交換可能に構成され、
前記画像処理装置が、前記撮像ユニットの取得した画像情報を加工してモニターに表示する回路を備え、
前記光源装置の光学要素の総合透過率特性と前記撮像ユニットの光学要素の総合透過率特性の組合わせを変えて被写体を観察することにより、次に示す内視鏡観察手技のうち少なくとも３つに対応した複数の異なる画像情報を取得するように構成されていることを特徴とする内視鏡装置。
［手順１］  生体に対し通常のカラー画像観察だけでは正常部位と見分けることの困難であった早期癌などの病変部について蛍光画像による観察を行い、上記病変部の位置を特定する。
［手順２］  上記手順１によって生体表面に分布する病変部の位置と大まかな範囲が明らかになったところで、上記病変部を拡大して画像化する。そして、極狭い複数の波長範囲に分割した可視領域の光を利用して、上記病変部の表層から深さ方向に走行している血管構造を詳細に調べ、病変組織と正常組織との境界を明確にする。これにより病変部の範囲を特定する。
［手順３］  上記手順２によって確定した病変部に対して、赤外画像による観察を行い、前記病変部の粘膜下層の状態を調べることで、病変の組織への浸潤度を判定し、内視鏡的に病変部を取り除くことが可能であるか否かを判断する。
［手順４］  上記手順３の判断に基づき、内視鏡的に病変部を取り除くことが可能である場合は、前記病変部を通常のカラー画像で観察しながら内視鏡的粘膜切除術（Endoscopic Mucosal Resection）により除去する。またはレーザーを用いて焼灼する処置を行う。
【請求項３】
ターレットと回転ディスクを備え、前記ターレットはそれぞれ異なる透過特性をもつ複数のフィルターを備え、前記フィルターを光路中に挿入および退避するように配置され、前記回転ディスクはそれぞれ異なる透過特性をもつ複数のフィルターを備え、前記フィルターを順次一定の周期で光路中に挿入および退避するように配置され、前記ターレットのフィルターと前記回転ディスクのフィルターを適宜組合わせることで少なくとも３種類の異なる照明を供給するように構成される請求項１に記載の光源装置。
【請求項４】
前記回転ディスクにはフィルターが同心円状に配置され、前記フィルターは次の２種類のフィルターの組合わせからなり、前記組合わせのうちいずれか一方が前記４種類の照明モードに対応して光路中に挿入されるように構成される請求項３に記載の光源装置。
(1)  可視領域の光を少なくとも２つの異なる波長範囲の光に分割する複数のバンドパスフィルターの組合わせ。
(2)  少なくとも可視領域の光を青、赤、緑の波長範囲の光に分割する複数のバンドパスフィルターの組合わせ。
【請求項５】
少なくとも光源装置と、スコープを備え、前記スコープは撮像ユニットを備え、前記光源装置と前記撮像ユニットは複数の光学要素を備え、前記光学要素は透過特性の異なるコーティングを有し、前記光源装置の光学要素と前記撮像光学系の光学要素の組合わせを変えて被写体を観察することにより複数の異なる画像情報を取得するように構成され、前記組合わせは３３０ｎｍから６８０ｎｍまでの間で少なくとも２種類の異なる波長帯域のバンドパス特性を有する請求項２に記載の内視鏡装置。
【手続補正２】
【補正対象書類名】明細書
【補正対象項目名】０００９
【補正方法】変更
【補正の内容】
【０００９】
【課題を解決するための手段】
上記目的を達成するため、本第１の発明による内視鏡装置用光源装置は、少なくともランプと、集光レンズと、フィルターを備え、前記フィルターが、光路中に次の４つの照明モードから少なくとも３つの照明モードの選択が可能なように挿脱自在に配置されていることを特徴としている。
［照明モード１］  生体組織からの蛍光を得るための励起光と、生体組織から蛍光以外の情報を得るための前記励起光とは異なる波長成分をもつ光とを順次照明するモード。
［照明モード２］  色再現性の良好な生体組織のカラー画像を得るために可視領域の光を赤、緑、青の波長範囲の光に分割して順次照明するモード。
［照明モード３］  生体組織の表層から深さ方向に走行している血管構造の分解能を高めるために可視領域の光を極狭い複数の波長範囲に分割して順次照明するモード。
［照明モード４］  生体組織の赤外画像をコントラスト良く得るために少なくとも２つの異なる波長成分をもつ赤外領域の光を順次照明するモード。
【手続補正３】
【補正対象書類名】明細書
【補正対象項目名】００１０
【補正方法】変更
【補正の内容】
【００１０】
また、本第２の発明による内視鏡装置は、少なくとも画像処理装置と、光源装置と、スコープを備え、前記スコープが、撮像ユニットを備え、前記光源装置と前記撮像ユニットが、それぞれ複数の光学要素を備え、前記光学要素が、透過特性の異なるコーティングを有し、かつ、部分的に交換可能に構成され、前記画像処理装置が、前記撮像ユニットの取得した画像情報を加工してモニターに表示する回路を備え、前記光源装置の光学要素の総合透過率特性と前記撮像ユニットの光学要素の総合透過率特性の組合わせを変えて被写体を観察することにより、次に示す内視鏡観察手技のうち少なくとも３つに対応した複数の異なる画像情報を取得するように構成されていることを特徴としている。
［手順１］  生体に対し通常のカラー画像観察だけでは正常部位と見分けることの困難であった早期癌などの病変部について蛍光画像による観察を行い、上記病変部の位置を特定する。
［手順２］  上記手順１によって生体表面に分布する病変部の位置と大まかな範囲が明らかになったところで、上記病変部を拡大して画像化する。そして、極狭い複数の波長範囲に分割した可視領域の光を利用して、上記病変部の表層から深さ方向に走行している血管構造を詳細に調べ、病変組織と正常組織との境界を明確にする。これにより病変部の範囲を特定する。
［手順３］  上記手順２によって確定した病変部に対して、赤外画像による観察を行い、前記病変部の粘膜下層の状態を調べることで、病変の組織への浸潤度を判定し、内視鏡的に病変部を取り除くことが可能であるか否かを判断する。
［手順４］  上記手順３の判断に基づき、内視鏡的に病変部を取り除くことが可能である場合は、前記病変部を通常のカラー画像で観察しながら内視鏡的粘膜切除術（Endoscopic Mucosal Resection）により除去する。またはレーザーを用いて焼灼する処置を行う。
また、本第３の発明による光源装置は、ターレットと回転ディスクを備え、前記ターレットはそれぞれ異なる透過特性をもつ複数のフィルターを備え、前記フィルターを光路中に挿入および退避するように配置され、前記回転ディスクはそれぞれ異なる透過特性をもつ複数のフィルターを備え、前記フィルターを順次一定の周期で光路中に挿入および退避するように配置され、前記ターレットのフィルターと前記回転ディスクのフィルターを適宜組合わせることで少なくとも３種類の異なる照明を供給するように構成されていることを特徴としている。
また、本第４の発明による光源装置は、前記回転ディスクにはフィルターが同心円状に配置され、前記フィルターは次の２種類のフィルターの組合わせからなり、前記組合わせのうちいずれか一方が前記４種類の照明モードに対応して光路中に挿入されるように構成されていることを特徴としている。
(1)  可視領域の光を少なくとも２つの異なる波長範囲の光に分割する複数のバンドパスフィルターの組合わせ。
(2)  少なくとも可視領域の光を青、赤、緑の波長範囲の光に分割する複数のバンドパスフィルターの組合わせ。
更に、本第５の発明による内視鏡装置は、少なくとも光源装置と、スコープを備え、前記スコープは撮像ユニットを備え、前記光源装置と前記撮像ユニットは複数の光学要素を備え、前記光学要素は透過特性の異なるコーティングを有し、前記光源装置の光学要素と前記撮像光学系の光学要素の組合わせを変えて被写体を観察することにより複数の異なる画像情報を取得するように構成され、前記組合わせは３３０ｎｍから６８０ｎｍまでの間で少なくとも２種類の異なる波長帯域のバンドパス特性を有することを特徴としている。
【手続補正４】
【補正対象書類名】明細書
【補正対象項目名】０１２８
【補正方法】変更
【補正の内容】
【０１２８】
第２実施例
本発明の第２実施例を図３７から図３９を用いて説明する。
図３７は本発明の第２実施例による内視鏡装置に用いられる光源装置の光学系の構成を示す概略構成図、図３８は第２実施例の内視鏡装置に用いられる光源装置のターレットに配置される光学フィルターの分光透過特性を示すグラフ、図３９(a)〜(c)は第２実施例の内視鏡装置に使用される光源装置の回転フィルターに配置される光学フィルターの分光透過特性を示すグラフである。
なお、基本的な装置の構成やフィルターの組合わせ方法は第１実施例と同じであるのでその説明を省略し、第１実施例との相違点のみを述べることとする。
【手続補正５】
【補正対象書類名】明細書
【補正対象項目名】０１４１
【補正方法】変更
【補正の内容】
【０１４１】
（１）ターレットと回転ディスクを備え、前記ターレットはそれぞれ異なる透過特性をもつ複数のフィルターを備え、前記フィルターを光路中に挿入および退避するように配置され、前記回転ディスクはそれぞれ異なる透過特性をもつ複数のフィルターを備え、前記フィルターを順次一定の周期で光路中に挿入および退避するように配置され、前記ターレットのフィルターと前記回転ディスクのフィルターを適宜組合わせることで少なくとも３種類の異なる照明を供給するように構成される請求項１に記載の光源装置。
【手続補正６】
【補正対象書類名】明細書
【補正対象項目名】０１４２
【補正方法】変更
【補正の内容】
【０１４２】
（２）前記回転ディスクにはフィルターが同心円状に配置され、前記フィルターは次の２種類のフィルターの組合わせからなり、前記組合わせのうちいずれか一方が前記４種類の照明モードに対応して光路中に挿入されるように構成される上記（１）に記載の光源装置。
(1)  可視領域の光を少なくとも２つの異なる波長範囲の光に分割する複数のバンドパスフィルターの組合わせ。
(2)  少なくとも可視領域の光を青、赤、緑の波長範囲の光に分割する複数のバンドパスフィルターの組合わせ。
【手続補正７】
【補正対象書類名】明細書
【補正対象項目名】０１４６
【補正方法】変更
【補正の内容】
【０１４６】
（６）少なくとも光源装置と、スコープを備え、前記スコープは撮像ユニットを備え、前記光源装置と前記撮像ユニットは複数の光学要素を備え、前記光学要素は透過特性の異なるコーティングを有し、前記光源装置の光学要素と前記撮像光学系の光学要素の組合わせを変えて被写体を観察することにより複数の異なる画像情報を取得するように構成され、前記組合わせは３３０ｎｍから６８０ｎｍまでの間で少なくとも２種類の異なる波長帯域のバンドパス特性を有する請求項２に記載の内視鏡装置。
【手続補正８】
【補正対象書類名】明細書
【補正対象項目名】図３９
【補正方法】変更
【補正の内容】
【図３９】
(a)〜(c)は第２実施例の内視鏡装置に使用される光源装置の回転フィルターに配置される光学フィルターの分光透過特性を示すグラフである。